(57)【要約】【課題】フィルムのセット作業の作業性を高め得る横形製袋充填機におけるフィルム供給装置を提供する。【解決手段】フィルムロールから引き出された帯状フィルム１２のフィルム移送経路に、帯状フィルム１２を駆動ローラ３２と従動ローラ３４とで挟持して下流側に送る繰出ローラ３６が配設される。駆動ローラ３２は、メインフレーム２６に固定された第１の支持体３８に回転可能に支持される。従動ローラ３４を回転可能に支持する第２の支持体５６は、メインフレーム２６にヒンジ６１を介して水平回動可能に支持される。そして、第２の支持体５６は、従動ローラ３４が駆動ローラ３２に対して水平方向に並ぶように接近して帯状フィルム１２を挟持可能な挟持位置と、従動ローラ３４が駆動ローラ３２から側方に離間した退避位置との間を移動する。【選択図】図３
2018052556.tif 000002
【特許請求の範囲】
【請求項１】
フィルムロール(10)と製袋手段(14)との間のフィルム移送経路に、製袋手段(14)に向けたフィルム(12)の進入角度を調節する進入角調節手段(49)が設けられた横形製袋充填機におけるフィルム供給装置であって、
前記フィルムロール(10)と進入角調節手段(49)との間のフィルム移送経路に設けられてフィルム(12)の幅方向に沿って延在し、回転駆動される駆動側回転手段(32)と、
該駆動側回転手段(32)との間にフィルム(12)を挟持した状態で、駆動側回転手段(32)に従動して回転する従動側回転手段(34)と、
本体部(26)に固定され、前記駆動側回転手段(32)を、該駆動側回転手段(32)の回転軸方向両側で回転可能に支持する第１の支持手段(38)と、
前記従動側回転手段(34)を、該従動側回転手段(34)の回転軸方向両側で回転可能に支持する第２の支持手段(56)とを備え、
前記駆動側回転手段(32)に対して従動側回転手段(34)が並ぶように接近してフィルム(12)を挟持可能な挟持位置および離間した退避位置の間を移動可能に、前記第２の支持手段(56)を前記本体部(26)に支持し、
前記第２の支持手段(56)を挟持位置に移動して前記従動側回転手段(34)との間にフィルム(12)を挟持する前記駆動側回転手段(32)を回転駆動することで、前記フィルムロール(10)からフィルム(12)を引き出して下流側に送るよう構成した
ことを特徴とする横形製袋充填機におけるフィルム供給装置。
【請求項２】
前記駆動側回転手段(32)を、その回転軸が水平方向に沿って延在するように前記第１の支持手段(38)に支持すると共に、前記従動側回転手段(34)を、その回転軸が水平方向に沿って延在するように前記第２の支持手段(56)に支持し、
前記第２の支持手段(56)を、前記従動側回転手段(34)が駆動側回転手段(32)に対して水平方向に並ぶ前記挟持位置と退避位置との間を水平移動可能に前記本体部(26)に支持したことを特徴とする請求項１記載の横形製袋充填機におけるフィルム供給装置。
【請求項３】
前記フィルムロール(10)から引き出されるフィルム(12)が前記駆動側回転手段(32)に側方から巻き掛けられて、該駆動側回転手段(32)と前記従動側回転手段(34)とで挟持したフィルム(12)を上下方向に沿って送り出すよう構成され、
前記第２の支持手段(56)に、前記挟持位置において駆動側回転手段(32)および従動側回転手段(34)の対向領域(S)を上側から覆うカバー部(66)を設けたことを特徴とする請求項２記載の横形製袋充填機におけるフィルム供給装置。
【請求項４】
前記駆動側回転手段(32)と従動側回転手段(34)とで挟持したフィルム(12)を下側に送るよう構成したことを特徴とする請求項２または３記載の横形製袋充填機におけるフィルム供給装置。
【発明の詳細な説明】
【技術分野】
【０００１】
この発明は、横形製袋充填機において、フィルムロールからフィルムを引き出す一対のローラを有したフィルム供給装置に関する。
【背景技術】
【０００２】
帯状フィルムを送りながら製袋器によってフィルムの幅方向における両端縁部を重合して筒状に成形し、その重合部に筒状フィルムの送り方向に沿って縦シールを施すと共に、筒状フィルムに所定間隔ごとに内包した物品の前後におけるフィルムに、筒状フィルムの送り方向と交差する方向に沿って横シールを施す横形製袋充填機においては、フィルムロールと製袋器との間のフィルム移送経路に、駆動ローラと従動ローラとからなる繰出ローラを設けて、該繰出ローラによってフィルムロールからフィルムを引き出す方式が知られている(例えば、特許文献１参照)。
【先行技術文献】
【特許文献】
【０００３】
【特許文献１】特許第３７２１５３４号公報
【発明の概要】
【発明が解決しようとする課題】
【０００４】
特許文献１に開示される繰出ローラでは、ローラ同士の平行を保つために、各ローラの両端を枠で夫々支持して、繰出ローラからフィルムが受ける力をフィルム幅方向において各所均一にしてフィルムの偏向を防いでいる。横形製袋充填機では、包装のための準備作業として、フィルムロールから引き出したフィルムを所定経路に従って各種ローラに巻掛け案内した後、該フィルムを製袋器に至るようにセットする作業が作業者によって行われる。このセット作業のために、前記繰出ローラを備えたフィルム供給装置では、駆動ローラと従動ローラとの間にフィルムを通すために、両ローラを離間させる開閉機構を備えている。
【０００５】
前記開閉機構として、従動ローラが回転自在に支持されたシャフトを、該シャフトが偏心して連結される偏心ホルダを介して両枠に回動可能に配設し、偏心ホルダに設けた操作レバーを回してシャフトを偏心移動することで、従動ローラを駆動ローラから離間させる偏心機構が採用されている。そして、作業者によるフィルムのセット作業は、両ローラを離間することで両ローラおよび両枠によって形成された開口(孔)にフィルムの先端を通した後、その開口よりフィルム移送経路における下流側に設けられた案内ローラや製袋器などにフィルムをセットしている。
【０００６】
このようなフィルムのセット作業では、重量物であるフィルムロールからフィルムを引っ張り出す作業は、作業者にとっては力を要する作業であり、また偏心機構により両ローラを離間し得る幅は狭いため、作業慣れした作業者は、予めフィルムを余らせる程度、フィルムロールから多めに引き出してからフィルムの先端を狭い開ロ(孔)に通すことによって、繊細さを要する作業と力を要する作業とを同時に行うことを避けるようにしている。しかし、このようなセット作業を不慣れな作業者が行うと、フィルムを多めに引き出し過ぎるなどして、狭い開口にフィルムの先端を通す際にフィルムの取り扱いに困ったり、多めに引き出したフィルムを損傷させないように気をつけたりするなどして、作業効率が低下してしまう。すなわち、作業者の熟練度によってセット作業に要する時間はまちまちで、効率的な生産に支障をきたす場合がある。
【０００７】
すなわち本発明は、従来の技術に係る前記問題に鑑み、これらを好適に解決するべく提案されたものであって、フィルムのセット作業の作業性を高め得る横形製袋充填機におけるフィルム供給装置を提供することを目的とする。
【課題を解決するための手段】
【０００８】
前記課題を克服し、所期の目的を達成するため、本願の請求項１に係る発明の横形製袋充填機におけるフィルム供給装置は、
フィルムロールと製袋手段との間のフィルム移送経路に、製袋手段に向けたフィルムの進入角度を調節する進入角調節手段が設けられた横形製袋充填機におけるフィルム供給装置であって、
前記フィルムロールと進入角調節手段との間のフィルム移送経路に設けられてフィルムの幅方向に沿って延在し、回転駆動される駆動側回転手段と、
該駆動側回転手段との間にフィルムを挟持した状態で、駆動側回転手段に従動して回転する従動側回転手段と、
本体部に固定され、前記駆動側回転手段を、該駆動側回転手段の回転軸方向両側で回転可能に支持する第１の支持手段と、
前記従動側回転手段を、該従動側回転手段の回転軸方向両側で回転可能に支持する第２の支持手段とを備え、
前記駆動側回転手段に対して従動側回転手段が並ぶように接近してフィルムを挟持可能な挟持位置および離間した退避位置の間を移動可能に、前記第２の支持手段を前記本体部に支持し、
前記第２の支持手段を挟持位置に移動して前記従動側回転手段との間にフィルムを挟持する前記駆動側回転手段を回転駆動することで、前記フィルムロールからフィルムを引き出して下流側に送るよう構成したことを特徴とする。
請求項１に係る発明によれば、駆動側回転手段を支持する第２の支持手段を、第１の支持手段に支持した駆動側回転手段に対して従動側回転手段が接近する挟持位置と離間する退避位置との間を移動し得るように本体部に支持するよう構成したので、従動側回転手段と駆動側回転手段とを大きく離間することができ、フィルムのセット作業が容易となる。すなわち、狭い開口にフィルム先端を通す繊細さが求められる煩雑な作業を不要とすることができ、フィルムのセット作業の作業性を高めることができると共に、作業者の熟練度の違いにより生産効率が変動するのを防ぐことができる。また、本体部に固定した第１の支持手段に駆動側回転手段を支持するよう構成したので、該駆動側回転手段に対する駆動系の連繋構造を簡素化することができる。
【０００９】
請求項２に係る発明では、前記駆動側回転手段を、その回転軸が水平方向に沿って延在するように前記第１の支持手段に支持すると共に、前記従動側回転手段を、その回転軸が水平方向に沿って延在するように前記第２の支持手段に支持し、
前記第２の支持手段を、前記従動側回転手段が駆動側回転手段に対して水平方向に並ぶ前記挟持位置と退避位置との間を水平移動可能に前記本体部に支持したことを特徴とする。
請求項２に係る発明によれば、第２の支持手段を水平移動するよう構成したので、退避位置に移動した第２の支持手段を作業者が保持しておく必要はなく、作業性がよい。
【００１０】
請求項３に係る発明では、前記フィルムロールから引き出されるフィルムが前記駆動側回転手段に側方から巻き掛けられて、該駆動側回転手段と前記従動側回転手段とで挟持したフィルムを上下方向に沿って送り出すよう構成され、
前記第２の支持手段に、前記挟持位置において駆動側回転手段および従動側回転手段の対向領域を上側から覆うカバー部を設けたことを特徴とする。
請求項３に係る発明によれば、挟持位置において駆動側回転手段と従動側回転手段との対向領域の上側を覆うカバー部を第２の支持手段に設けたので、包装運転中における対向領域への異物などの侵入を防止することができる。また、フィルムのセット作業に際して第２の支持手段を移動することでカバー部も対向領域の上側から離間するので、フィルムのセット作業をカバー部が阻害することなく良好に行うことができる。
【００１１】
請求項４に係る発明では、前記駆動側回転手段と従動側回転手段とで挟持したフィルムを下側に送るよう構成したことを特徴とする。
請求項４に係る発明によれば、フィルムのセット作業に際し、駆動側回転手段にフィルムを巻き掛けた状態で手を離しても、該フィルムが駆動側回転手段から外れることはなく、作業性は良好になる。
【発明の効果】
【００１２】
本発明に係る横形製袋充填機におけるフィルム供給装置によれば、フィルムのセット作業の作業性を高めて、生産効率を向上することができる。
【図面の簡単な説明】
【００１３】
【図１】本発明の実施例に係るフィルム供給装置を採用した横形製袋充填機を示す概略側面図である。
【図２】実施例に係るフィルム供給装置における第２の支持体を退避位置に移動した状態を示す概略斜視図である。
【図３】実施例に係るフィルム供給装置の図１におけるＡ−Ａ線での概略断面図である。
【図４】実施例に係るフィルム供給装置の図３におけるＢ−Ｂ線での概略断面図である。
【発明を実施するための形態】
【００１４】
次に、本発明に係る横形製袋充填機におけるフィルム供給装置につき、実施例を挙げて、添付図面を参照して以下に説明する。
【実施例】
【００１５】
図１は、実施例に係るフィルム供給装置を備えた横形製袋充填機を示すものであって、横形製袋充填機は、フィルムロール１０から引き出した帯状フィルム(帯状のフィルム)１２を、その長手方向両端縁部を合掌状に重合して筒状フィルム１２ａとして成形する製袋手段１４と、筒状フィルム１２ａに向けて物品１６を所定間隔毎に供給する供給コンベヤ１８と、前記合掌状に重合した筒状フィルム１２ａの重合部に縦シールを施す縦シール手段２０と、前記筒状フィルム１２ａの重合部を挟持して縦シール手段２０に向けて筒状フィルム１２ａを搬送するフィルム搬送手段２２と、筒状フィルム１２ａ中に供給された物品１６の前後位置で筒状フィルム１２ａを挟み、筒状フィルム１２ａの搬送方向と交差する方向に横シールを施す横シール手段２４を備える。また、横形製袋充填機は、フィルムロール１０と製袋手段２２との間のフィルム移送経路に、製袋手段２２に向けた帯状フィルム１２の進入角度を調節する進入角調節手段４９を備え、フィルムロール１０と進入角調節手段４９との間のフィルム移送経路に、フィルムロール１０から引き出した帯状フィルム１２を製袋手段１４に向けて送るフィルム供給装置が設けられる。
【００１６】
横形製袋充填機のフレームを構成する本体部としてのメインフレーム２６(図１,２に、その一部を図示している)に対し、作業者が運転操作やフィルムのセット作業などを行う手前側に前記供給コンベヤ１８や製袋手段１４などが配置されると共に、該メインフレーム２６に、フィルムロール１０が回転可能に装填される複数(実施例では２つ)の装填シャフト２８が、供給コンベヤ１８より上側において手前側に向けて水平に延在するように片持ち支持されている(図２参照)。また、メインフレーム２６には、図１において右側(横シール手段２４に近づく側)に位置する装填シャフト２８から、右側方に離間する位置であって、高さ位置においてフィルムロール１０と製袋手段１４の間には、前記フィルム供給装置および進入角調節手段４９が配設されている。フィルム供給装置は、図３に示す如く、サーボモータなどの駆動モータ３０によって回転駆動される駆動側回転手段としての駆動ローラ３２および該駆動ローラ３２との間に帯状フィルム１２を挟持可能な従動側回転手段としての従動ローラ３４からなる繰出ローラ３６と、第１の支持体３８と第２の支持体５６を備えている。なお、駆動ローラ３２は表面が金属とされる一方で、従動ローラ３４は表面がゴム材からなるゴムロールから構成される。そして、帯状フィルム１２の幅方向に沿って延在する駆動ローラ３２と後述する挟持位置に移動した従動ローラ３４とで帯状フィルム１２を挟持した状態で、駆動ローラ３２を回転駆動するのに伴って従動ローラ３４が従動して回転することで、フィルムロール１０から帯状フィルム１２を引き出して下流側に送り出すよう構成される。
【００１７】
前記第１の支持体(第１の支持手段)３８は、前記メインフレーム２６に固定される固定パネル３１と、該固定パネル３１に回転可能に支持される駆動ローラ３２の軸線に沿って手前側に延在する補強ステー４０(図４参照)と、該補強ステー４０の延出端に連結されたサブフレーム４２とで構成される。駆動ローラ３２は、その一端が奥側に向けられて固定パネル３１に開設した孔に挿通されて、固定パネル３１の裏面に固定されたサーボモータなどの駆動モータ３０に駆動連結される。また、駆動ローラ３２の他端は、固定パネル３１に固定された第１の支持体３８によって、固定パネル３１から手前側に離間した位置で、回転可能に支持される。すなわち、第１の支持体３８に対して駆動ローラ３２は、その回転軸が水平方向に沿って延在するように、回転軸方向両側で回転可能に支持される。よって、駆動ローラ３２は、メインフレーム２６に片持ち支持されている前記装填シャフト２８と平行を維持する。すなわち、駆動ローラ３２は、フィルム引出し方向に対する直交方向(交差する方向でフィルムの幅方向)に延在するように、メインフレーム２６によって支持される。なお、固定パネル３１とサブフレーム４２の間には、第１の支持体３８の補強を兼ねて、図１に示す如く、駆動ローラ３２とは別に、帯状フィルム１２を巻き掛け案内し得る後述する案内ローラ４４,４５,４６(実施例では４つ)が駆動ローラ３２と平行になるように架設される。
【００１８】
前記４つの案内ローラ４４,４５,４６は、前記固定パネル３１とサブフレーム４２とによって回転軸方向両側が回転可能に支持された２つの案内ローラ４４,４５と、固定パネル３１とサブフレーム４２間で、それらによって回動可能に支持されると共に駆動ローラ３２の軸方向に互いが離間した一対の回動アーム４８,４８(図１,図２に一方のみ図示)によって回転軸方向両側が回転可能に支持された２つの案内ローラ４６,４６とからなる。案内ローラ４５は、駆動ローラ３２よりフィルム移送経路の上流側に配置され、案内ローラ４４は、駆動ローラ３２の真下に離間して位置している。すなわち、フィルムロール１０から引き出された帯状フィルム１２は、メインフレーム２６から手前に延在するようにメインフレーム２６に配設された案内ローラ１９を経て、案内ローラ４５に巻き掛けられてから駆動ローラ３２に対して側方(具体的には左側の斜め下側)から案内されて該駆動ローラ３２の外周面に上側から巻き掛けられ、該駆動ローラ３２を経た帯状フィルム１２はフィルム送り方向が上下方向となるように真下に送り出されて案内ローラ４４に巻き掛けられる。なお、案内ローラ１９は、２つの装填シャフト２８,２８に装填されたフィルムロール１０,１０に対応して、それらより下方の中間位置で、何れのフィルムロール１０からフィルム１２が引き出されても、巻き掛け案内し得る位置に設けられる。そして、案内ローラ４５は、案内ローラ１９から送られて来るフィルム１２と、図１中、右側のフィルムロール１０との干渉を回避し得る高さ位置で、フィルム１２を巻き掛け案内し得るように、フィルム供給装置における位置が設定される。
【００１９】
前記案内ローラ４４における回転軸方向両端の軸部に、前記回動アーム４８,４８の長手方向の一端部が夫々回動可能に支持される。前記サブフレーム４２には、回動アーム４８の回動中心を中心とする円の周方向に離間して位置決め溝５０ａが複数設けられた位置決め部材５０(図４参照)が配設されると共に、サブフレーム側の回動アーム４８に、前記位置決め溝５０ａに係脱可能に係合する係合部(図示せず)が設けられており、係合部が係合する位置決め溝５０ａの位置を変えることで、一対の回動アーム４８,４８の傾斜角度が変化するよう構成される。また、両回動アーム４８,４８に、２つの前記案内ローラ４６,４６が回転可能に架設されており、下流側の案内ローラ４４を経た帯状フィルム１２が、２つの案内ローラ４６,４６に巻き掛けられた後に前記製袋手段１４に至るようになっている。両案内ローラ４６,４６は、回動アーム４８,４８に対してボール螺子機構によって長手方向に移動自在に支持されており、サブフレーム４２に配設されてボール螺子機構に連繋する操作ハンドル５２を操作してボール螺子機構を作動することで、回動アーム４８,４８の長手方向に両案内ローラ４６,４６を移動調節可能とされ、これらによって進入角調節手段４９が構成される。そして、回動アーム４８,４８の角度変更および回動アーム４８,４８に対する案内ローラ４６,４６の位置変更により、物品１６の大きさなどに応じて製袋手段１４に至る直前の案内ローラ(進入角調節ローラ)４６から製袋手段１４に進入する帯状フィルム１２の進入角度を調節し得るよう構成される。
【００２０】
ここで、前記第１の支持体３８には、操作レバー５３の正逆回動操作に応じて前記回動アーム４８の係合部を位置決め部材５０の位置決め溝５０ａに係合した状態でロック可能な状態とロック解除状態に切り替え可能なアーム用ロック手段(図示せず)が設けられており、該アーム用ロック手段によるロックを解除したもとで、回動アーム４８,４８を持ち上げて係合部を位置決め溝５０ａから離脱させ、別の位置決め溝５０ａに係合する選択切替え操作が可能に構成されている。このアーム用ロック手段でロック状態とした際には、第１の支持体３８の剛性がより高められるようになっている。また、第１の支持体３８には、図２,図４に示す如く、前記駆動ローラ３２の上部外周面が露出するように切欠部５４ａが形成された第１カバー部５４が設けられていることから、第１カバー部５４は、案内ローラ４５から駆動ローラ３２に至るフィルム移送経路を移動する帯状フィルム１２と接触干渉しない。また、第１カバー部５４は、案内ローラ４４から案内ローラ４６に至るフィルム移送経路を移動する帯状フィルム１２にも接触干渉しないように形成されている。
【００２１】
前記第２の支持体(第２の支持手段)５６は、図３に実線で示す如く、奥行き方向に離間する一対の側壁５８,５８と、両側壁５８,５８間に配設されて第１の支持体３８から離間する側方を覆う外壁６０とから第１の支持体３８と対向する側が凹んだ箱状に形成され、前記従動ローラ３４は、その回転軸が水平方向に沿って延在するように、回転軸方向両側が両側壁５８,５８に回転可能に支持される。第２の支持体５６は、固定パネル３１に対して第２の支持体５６の奥側に、上下に離間するように配設されたヒンジ６１を介して上下方向に延在する単一の鉛直軸回りに回動可能に支持されて、該第２の支持体５６は両ヒンジ６１を支点として水平面に沿って回動し、第２の支持体５６の手前側が、第１の支持体３８に対して開閉し得るよう構成される。このとこにより、第２の支持体５６は、前記従動ローラ３４が駆動ローラ３２に対して水平方向に並ぶように接近して帯状フィルム１２を挟持可能な挟持位置(図３の実線位置)と、従動ローラ３４が駆動ローラ３２から側方に離間した退避位置(図３の二点鎖線位置)との間を水平回動可能に構成される。なお、第２の支持体５６は、挟持位置を基準として従動ローラ３４が駆動ローラ３２から離間する略９０度まで回動し得るよう構成されている。また、第２の支持体５６は、第１の支持体３８に対し、帯状フィルム１２が前記案内ローラ４５を経て駆動ローラ３２に案内される側と反対側で固定パネル３１に支持される。
【００２２】
前記第２の支持体５６には、前記挟持位置において前記第１カバー部５４の切欠部５４ａから上側に露出する前記駆動ローラ３２を上側から覆う第２カバー部(カバー部)６６が設けられている。すなわち、第２カバー部６６は、図４に示す如く、挟持位置において従動ローラ３４と駆動ローラ３２とが対向する対向領域Ｓの上側を覆い、両ローラ３２,３４の対向領域Ｓに外部からフィルム以外の異物が侵入するのを防止するよう構成される。また、第２の支持体５６には、手前側の端部に操作用の取手５７が設けられている。
【００２３】
ここで、前記従動ローラ３４は、両側壁５８,５８間に偏心機構を介して支持された支持軸(回転軸)３５に対して回転可能に配設されており、支持軸３５の一端に設けた操作レバー６８によって支持軸３５を回動することで、偏心機構の作用によって従動ローラ３４が前記挟持位置において駆動ローラ３２に対して離間移動して両ローラ３２,３４による帯状フィルム１２の挟持圧から帯状フィルム１２を解放し得るよう構成される。
【００２４】
前記第１の支持体３８のサブフレーム４２と、前記第２の支持体５６の手前側の側壁５８とには、互いが係合して第２の支持体５６を挟持位置に維持する支持体用ロック手段７０が設けられている。この支持体用ロック手段７０は、第２の支持体５６に配設されたロック解除レバー７０ａの操作によってロック状態を解除可能に構成されており、該ロック解除レバー７０ａを操作しない限り、支持体用ロック手段７０によって第１の支持体３８に対して第２の支持体５６はロック状態が維持される。また、第２の支持体５６が挟持位置まで回動した際には、第１の支持体３８と第２の支持体５６とが、ばねに付勢された鉤爪(図示せず)によって、自動的にロックし得るように支持体用ロック手段７０が構成される。
【００２５】
図４に示す如く、前記繰出ローラ３６の直下には、帯状フィルム１２に一定間隔毎に印刷された柄やバーコードなどをスキャンするＣＩＳ(Contact Image Sensor)からなる光学方式のセンサ部７２が帯状フィルム１２のフィルム移送経路を挟む両側に配設されている。センサ部７２は、第１の支持体３８に配設された本体部７２ａと、本体部７２ａに対向するように第２の支持体５６に配設された反射板７２ｂとから構成され、本体部７２ａから照射された光の反射板７２ｂからの反射光の受光状態によって柄やバーコードなどを検出し得るようになっている。なお、センサ部７２は、繰出ローラ３６の長手方向の長さより長く設定されて、帯状フィルム１２の全幅に亘って柄などを検出し得るよう構成される。実施例では、２組の本体部７２ａおよび反射板７２ｂを、検出領域の一部がオーバーラップするように左右方向にずらして配置することによって、帯状フィルム１２の全幅を検出し得るようにしている。
【００２６】
次に、実施例に係るフィルム供給装置の作用について説明する。横形製袋充填機において帯状フィルム１２のセット作業を行う場合は、前記支持体用ロック手段７０のロック状態を解除したもとで、前記第２の支持体５６の手前側に設けた取手５７を持って該第２の支持体５６を、ヒンジ６１を支点として水平回動することで、前記従動ローラ３４は駆動ローラ３２から側方に離間する(図２参照)。そして、前記フィルムロール１０から引き出した帯状フィルム１２を、案内ローラ４５に巻き掛けた後に、第１カバー部５４の切欠部５４ａから露出する駆動ローラ３２の外周面に側方から巻き掛ける。次いで、駆動ローラ３２に巻き掛けた帯状フィルム１２を案内ローラ４４に巻き掛けた後、２つの案内ローラ４６,４６に巻き掛けて前記製袋手段１４や縦シール手段２０に至るようにセットする。
【００２７】
前記帯状フィルム１２のセット作業が完了した後、前記第２の支持体５６を挟持位置まで回動すると、駆動ローラ３２に巻き掛けられている帯状フィルム１２を該駆動ローラ３２と従動ローラ３４によって挟持すると共に、前記支持体用ロック手段７０が第１の支持体３８に対して第２の支持体５６をロックして、該第２の支持体５６を挟持位置に維持する。以上の作業が完了すると、前記駆動モータ３０により駆動ローラ３２を回転駆動した際に、繰出ローラ３６によって、前記フィルムロール１０から引き出されて駆動ローラ３２に側方から案内される帯状フィルム１２は、駆動ローラ３２および従動ローラ３４とによる挟持位置から下側に送り出される。
【００２８】
実施例のフィルム供給装置は、前記第２の支持体５６における奥側端部に設けたヒンジ６１を支点に第２の支持体５６を水平回動するよう構成したので、従動ローラ３４の手前側を駆動ローラ３２から大きく離すことができ、両ローラ３２,３４間に帯状フィルム１２を通す作業は容易となる。すなわち、セット作業が不慣れな作業者がフィルムロール１０から帯状フィルム１２を多めに引き出してしまった場合であっても、駆動ローラ３２と従動ローラ３４とが大きく離間しているので両ロール３２,３４の間に帯状フィルム１２を容易に通すことができ、作業者の熟練度によって作業時間がまちまちとなるのを抑えて、生産効率を向上することができる。また、前記メインフレーム２６に対して第２の支持体５６を片持ち支持しているので、退避位置に移動した第２の支持体５６の手前側に邪魔となる部材がなく、ゴム材からなる従動ローラ３４の全体の消耗状態などの目視による確認作業が手前側からし易い。更に、前記駆動ローラ３２を支持する第１の支持体３８を固定すると共に、従動ローラ３４を支持する第２の支持体５６を移動するよう構成したので、駆動ローラ３２と駆動モータ３０などとの連繋構造を簡素にすることができる。また、固定された第１の支持体３８側に駆動モータ３０を配設することによって、駆動モータ３０を駆動した際に生じる振動、騒音の発生を抑制し易くなる。
【００２９】
また、前記帯状フィルム１２を、前記従動ローラ３４が配設される側とは反対側から駆動ローラ３２に案内して巻き掛けて下側に送り出すよう構成すると共に、駆動ローラ３２と従動ローラ３４とが対向して帯状フィルム１２を挟持する対向領域Ｓを第２の支持体５６に設けた第２カバー部６６によって上側から覆うように構成したので、包装運転中は、対向領域Ｓへの異物の巻き込みなどを防ぐことができる。よって、異物侵入に起因する包装不良等の発生を防止し得る。また、両ローラ３２,３４の対向領域Ｓを覆う第２カバー部６６を第２の支持体５６に設けているので、帯状フィルム１２のセット作業に際して第２カバー部６６は第２の支持体５６と共に駆動ローラ３２の上側から側方に離間するので、該第２カバー部６６によって帯状フィルム１２のセット作業が阻害されることはなく、良好な作業性を確保することができる。
【００３０】
前記第２の支持体５６を水平方向に回動するように構成したので、作業者は第２の支持体５６を支えることなく片手で容易に移動させ得ると共に、第２の支持体５６を移動し終えた後には該第２の支持体５６が移動しないように保持しておく必要がないため、作業者の両手を自由にしてフィルムのセット作業を容易に行うことができる。また、前記フィルムロール１０から引き出した帯状フィルム１２を駆動ローラ３２に上側から巻き掛ければ、帯状フィルム１２から手を離しても該帯状フィルム１２が駆動ローラ３２から外れてしまうことはなく、セット作業の途中で作業者の両手を自由にすることができ、作業性がよい。また、２つのフィルムロール１０の中間位置に設けた案内ローラ１９から案内されて来た帯状フィルム１２をフィルムロール１０に干渉しないように巻き掛け案内する案内ローラ４５を、フィルム供給装置における固定パネル３１とサブフレーム４２で回転可能に支持するようにしたことによって、フィルム供給装置の剛性も高める(補強する)ことができる。よって、構造の簡素化が図れる。また、案内ローラ４５から案内されて来た帯状フィルム１２が、案内ローラ１９と案内ローラ４５の間のフィルムの移送経路に干渉することがないフィルムロール１０と製袋手段１４の間の高さ位置で、包装品種などに応じて進入角調節ローラ４６の位置を調節し得る進入角調節手段４９を、固定パネル３１とサブフレーム４２の間に設けたことによって、フィルム供給装置の剛性を高めることができる。よって、構成の簡素化が図れる。
【００３１】
（変更例）
本発明は実施例の構成に限定されるものではなく、例えば、以下のようにも変更実施可能である。また、以下の変更例に限らず、実施例に記載した構成については、本発明の主旨の範囲内において種々の実施形態を採用し得る。
(１) 第２の支持体５６を、メインフレーム２６に固定した固定パネル３１にヒンジ６１を介して支持するよう構成したが、メインフレーム２６に直接、あるいはメインフレーム２６に固定した第１の支持体３８に第２の支持体５６を回動可能に支持するなど、メインフレーム２６に対して第２の支持体５６を直接、あるいは別部材を介して間接的に支持する様々な支持構造を採用することができる。
(２) ヒンジ６１に代えて、レールなどを用いて第２の支持体５６を固定パネル３１、あるいはメインフレーム２６に移動し得るように支持して、駆動ローラ３２に対し従動ローラ３４を平行移動して接近・離間させることによって、フィルム引出し方向と交差する繰出ローラ３６の一端側(手前側)を大きく開放する構成を採用することができる。
(３) 繰出ローラ３６の下側から上側に帯状フィルム１２を送る構成にも適用することができる。
(４) 第２の支持体５６を挟持位置に維持する支持体用ロック手段７０は、メインフレーム２６に対して第２の支持体５６をロックする構成であってもよい。
(５) 従動ローラ３４は、支持軸３５に対して回転する構成に限られず、従動ローラ３４に一体で設けた支持軸を第２の支持体５６に対して回転可能に支持して、従動ローラ３４が支持軸と共に回転する構成であってもよい。
【００３２】
(６) 第１の支持体(第１の支持手段)３８は、駆動ローラ３２の軸方向一端部をメインフレーム２６で支持する構成に代えて、補強ステー４０の延在方向の両端に設けた一対の側壁間に駆動ローラ３２を回転可能に支持して、一方の側壁をメインフレーム２６に固定する構成であってもよい。
(７) 横形製袋充填機としては、供給コンベヤは必須ではない。
(８) 製袋手段１４より低い位置から製袋手段１４に送った帯状フィルム１２の両端を重合してなる重合部を筒状フィルムの上部に形成する横形製袋充填機や、重合部を筒状フィルムの側部に形成する横形製袋充填機のフィルム供給装置などに適用してもよい。なお、重合部を筒状フィルムの側部に形成する横形製袋充填機においては、装填シャフト２８の自由端側が上を向くようにフィルム供給装置を含む図２の構造物全体を９０度回転させた構成、あるいは進入角調節手段４９を除く図２の構造物全体を９０度回転させた構成などを採用し得る。すなわち、フィルム供給装置の駆動ローラ(駆動側回転手段)および従動ローラ(従動側回転手段)は、挟持位置において駆動ローラ(駆動側回転手段)の側方に従動ローラ(従動側回転手段)がフィルムを挟持可能に並び、退避位置において駆動ローラ(駆動側回転手段)から従動ローラ(従動側回転手段)が離間する構成であればよい。
(９) 駆動ローラ３２と従動ローラ３４に代えて、走行駆動される一対のベルト(駆動側および従動側回転手段)などでフィルム１２を挟持してフィルムロール１０からフィルム１２を引き出す構成であってもよい。
(１０) 進入角調節手段４９は、第１の支持体３８(フィルム供給装置)に設ける構成に限られず、フィルム供給装置より下流側でメインフレーム２６などに別途設ける構成を採用し得る。
【符号の説明】
【００３３】
１０ フィルムロール，１２ 帯状フィルム(フィルム)，１４ 製袋手段
２６ メインフレーム(本体部)，３２ 駆動ローラ(駆動側回転手段)
３４ 従動ローラ(従動側回転手段)，３８ 第１の支持体(第１の支持手段)
４９ 進入角調節手段，５６ 第２の支持体(第２の支持手段)
６６ 第２カバー部(カバー部)，Ｓ 対向領域
【図１】
2018052556.tif 000003
【図２】
2018052556.tif 000004
【図３】
2018052556.tif 000005
【図４】
2018052556.tif 000006